(57)【特許請求の範囲】
【請求項１】
複数の交差する光路と、
複数の交差点スイッチ素子と、ここで、前記複数の交差点スイッチ素子のそれぞれが、２つの前記光路の交差点に関連しており、前記各交差点スイッチ素子と２つの光路の各前記交差点は、光スイッチポイントを含み、前記複数の交差点スイッチ素子のそれぞれが、２つの光路の前記交差点に配置されて、第１のタイプの光スイッチポイントが構成されることになり、前記複数の第１のタイプの光スイッチポイントによって、前記交差点スイッチ素子が反射状態の場合、前記第１のタイプの光スイッチポイントのそれぞれに入射する光を反射可能にするコアマトリックスが構成されることになり、前記コアマトリックスは複数の行及び複数の列を含み、
コアマトリックスに追加されるテスト行及びテスト列を構成する複数の第２のタイプの光スイッチポイントと、ここで、前記第２のタイプの光スイッチポイントは２つの光路の前記交差点に隣接する別の交差点に前記交差点スイッチ素子を配置することによって構成されており、
前記テスト行及び前記テスト列に光学的に結合されたテスト入力及びテスト出力と
を含む光スイッチ。
【請求項２】
光スイッチポイントの追加の列及び追加の行をさらに含むことを特徴とする請求項１に記載の光スイッチ。
【請求項３】
光スイッチポイントの前記追加の列及び前記追加の行は、第１のタイプの光スイッチポイントと、第２のタイプの光スイッチポイントとを含むことを特徴とする、請求項２に記載の光スイッチ。
【請求項４】
前記コアマトリックスにおける前記複数の第１のタイプの光スイッチポイントのそれぞれの前記交差点スイッチ素子と光学的に通じているリフレクタをさらに含むことを特徴とする、請求項２に記載の光スイッチ。
【請求項５】
前記複数の第２のタイプの光スイッチポイントによって、前記テスト入力及び前記テスト出力を用いて、前記複数の第１のタイプの光スイッチポイントのそれぞれをテストすることが可能になることを特徴とする、請求項１に記載の光スイッチ。
【請求項６】
前記光路が導波路セグメントであることを特徴とする、請求項１に記載の光スイッチ。
【請求項７】
光スイッチマトリックスは、複数の交差する光路と、前記複数の交差する光路のそれぞれの交差点に配置された交差点スイッチ素子を含んでおり、前記交差点スイッチ素子は、２つの光路の前記交差点に配置されて、第１のタイプの光スイッチポイントを構成し、複数の第１のタイプの光スイッチポイントが、コアマトリックスをなすように構成されており、前記コアマトリックスが、複数の行と複数の列を備えていることを特徴とする光スイッチマトリックスの部材である光スイッチポイントを、テストするための方法であって、
２つの光路の前記交差点に隣接する別の交差点に前記交差点スイッチ素子を配置することによって構成される、テスト行とテスト列を構成する複数の第２のタイプの光スイッチポイントを、前記複数の第１のタイプの光スイッチポイントに追加するステップと、
前記第１のタイプの光スイッチポイントの少なくとも１つ、前記テスト行における前記第２のタイプの光スイッチポイントの少なくとも１つ、及び、前記テスト列における前記第２のタイプの光スイッチポイントの少なくとも１つを反射性にして、テスト入力とテスト出力を利用することにより、前記複数の第１のタイプの光スイッチポイントのそれぞれをテストするステップと、
を含む方法。
【請求項８】
前記コアマトリックスに光スイッチポイントの列及び行を追加するステップをさらに含むことを特徴とする、請求項７に記載の方法。
【請求項９】
光スイッチポイントの追加の列及び追加の行に、第１のタイプの光スイッチポイントと第２のタイプの光スイッチポイントの両方を含むことを特徴とする、請求項８に記載の方法。
【請求項１０】
前記コアマトリックスにある複数の第１のタイプの光スイッチングポイントのそれぞれにリフレクタを追加するステップをさらに含み、該リフレクタが、前記複数の第１のタイプの光スイッチングポイントのそれぞれの前記交差点スイッチ素子と光学的に通信することを特徴とする、請求項９に記載の方法。
【請求項１１】
光スイッチマトリックスは、複数の交差する光路と、２つの前記光路の交差点に配置された交差点スイッチ素子とを含んでいて、前記交差点スイッチと２つの光路の前記交差点によって、光スイッチポイントが構成されており、２つの光路の前記交差点に前記交差点スイッチ素子を配置することによって、第１のタイプの光スイッチポイントが構成され、２つの光路の前記交差点に隣接する別の交差点に前記交差点スイッチ素子を配置することによって、第２のタイプの光スイッチポイントが構成されることになる、光スイッチマトリックスの部材である光スイッチポイントを較正するための方法であって、
コアマトリックスをなすように配列された前記複数の第１のタイプの光スイッチポイントに、テスト行とテスト列を構成する複数の第２のタイプの光スイッチポイントを追加するステップと、
前記第１のタイプの光スイッチポイントの少なくとも１つ、前記テスト行における前記第２のタイプの光スイッチポイントの少なくとも１つ、及び、前記テスト列における前記第２のタイプの光スイッチポイントの少なくとも１つを反射性にして、テスト入力及びテスト出力を利用することにより、前記複数の第１のタイプの光スイッチポイントのそれぞれを較正するステップと、
前記複数の第１のタイプの光スイッチポイントのそれぞれの反射率を測定するステップと、
を含む方法。
【請求項１２】
前記コアマトリックスに光スイッチポイントの列及び行を追加するステップをさらに含むことを特徴とする、請求項１１に記載の方法。
【請求項１３】
光スイッチポイントの追加の列及び追加の行に、第１のタイプの光スイッチポイントと第２のタイプの光スイッチポイントの両方を含むことを特徴とする、請求項１２に記載の方法。
【請求項１４】
前記コアマトリックスにある複数の第１のタイプの光スイッチングポイントのそれぞれにリフレクタを追加するステップをさらに含み、該リフレクタのそれぞれが、前記複数の第１のタイプの光スイッチングポイントのそれぞれの前記交差点スイッチ素子と光学的に通信することを特徴とする、請求項１１に記載の方法。
【発明の詳細な説明】
【０００１】
【発明の属する技術分野】
本発明は、一般に、光スイッチに関するものであり、とりわけ、テストポートを備えた光スイッチに関するものである。
【０００２】
【従来の技術】
通信テクノロジは、過去数年の間に大幅に進歩した。今日、多くの情報は光通信ファイバによって伝送されている。光ファイバテクノロジとして知られるこのテクノロジによって、現在では、毎秒何十億（１０9）を超えるビットの情報を転送することが可能になる。このテクノロジのこの光通信を可能にする部分は、光ファイバに光を送り込み、その光を適正にスイッチする能力である。一般に、いくつかの光ファイバが組み合わせられて、光ファイバケーブルをなしている。光ファイバケーブルは、長距離にわたって多くの個別信号を伝送している場合、それらの信号を他の光ファイバケーブルにスイッチする能力を備える必要はない。網状の光ファイバケーブルインフラストラクチャは、世界中に延びている。前記網の所定の場所に、１つの光ファイバケーブルからもう１つの光ファイバケーブルに光信号をスイッチする能力を備えていることが望ましい。一般的な光ファイバケーブルは、例えば、リボン構造をなすように互いに結合された複数の個別光ファイバから構成することが可能である。典型的な光ファイバリボンケーブルには、３２の個別光ファイバを含むことが可能である。各光ファイバ毎に、１つの信号を伝送することもできるし、あるいは、多色光を利用することにより、多くの信号を多重化して、単一光ファイバに送り込むことが可能な、稠密波長分割多重化（ＤＷＤＭ：Ｄｅｎｓｅ  Ｗａｖｅ  Ｄｉｖｉｓｉｏｎ  Ｍｕｌｔｉｐｌｅｘｉｎｇ）の場合、各光ファイバ毎に、それぞれの色が単一信号を搬送する複数色（波長）の光を伝送することも可能である。
【０００３】
ある方向から別の方向に光の経路指定をすることが可能な光スイッチが、わずかの間に知れわたるようになった。譲受人が同じである、Ｆｏｕｑｕｅｔ他に与えられた米国特許第５，６９９，４６２号には、光スイッチ素子が、２つの光導波路の交差点に配置される新しいタイプの光スイッチが開示されている。光スイッチ素子内におけるある材料の状態に応じて、光は、スイッチ素子を透過して、もとの導波路を軸方向に進み続けるか、あるいは、スイッチ素子に反射されて、もとの導波路と交差する導波路に送り込まれる。スイッチ素子には、透過状態の場合、屈折率が導波路の屈折率とほぼ等しくなり、従って、導波路内の光がスイッチ素子を通過できるようにする材料が充填されている。スイッチ素子内における前記材料の状態は、スイッチ素子内のヒータ等の働きによって、スイッチ素子内においてガスすなわち気泡を生じるように、変化させることが可能である。スイッチ素子内に存在する間、気泡によって、導波路とスイッチ素子の間に屈折率の不整合が生じ、このため、導波路内の光が反射されて、交差導波路に送り込まれる。この状態は、反射状態として知られている。このスイッチ素子の望ましい実施態様及び多くの代替実施態様の働きについては、引用することにより本明細書の一部をなすものとする、譲受人が同じである、Ｆｏｕｑｕｅｔ他に与えられた米国特許第５，６９９，４６２号に詳述されている。
【０００４】
２つの導波路セグメントの交差点に配置されると、上述の光スイッチ素子の１つによって、光スイッチポイントが構成され、これを利用して、複数の光ファイバの信号をスイッチすることが可能になる。光スイッチポイントは、さらに、スイッチングマトリックスを構成するように構成することが可能である。例えば、３２行の光スイッチポイントと３２列の光スイッチポイントによって構成される、３２×３２のマトリックスをなすように構成する場合、３２の光ファイバリボンケーブルを３２の入力ラインに接続し、別の３２の光ファイバリボンケーブルを３２の入力ラインと交差する３２の出力ラインに接続することが可能である。スイッチ素子は、各光スイッチポイントに配置されるので、３２の入力ラインの任意の１つを３２の出力ラインの任意の１つにスイッチすることが可能である。こうして、光信号をある光ファイバケーブルから別の光ファイバケーブルに送り込むことが可能になるので、結果として、コンパクトな光スイッチが得られる。
【０００５】
上述の光スイッチに関する欠点の１つは、通常、スイッチの動作中は、スイッチ素子のそれぞれをテストすることができないという点である。
【０００６】
さらに、上述の光スイッチに関するもう１つの欠点は、スイッチ素子の製造中におけるプロセス変動、及び、動作中における圧力変化のために、セットアップ中に較正を行い、動作中に、各スイッチ素子について、ヒータ電圧及び電流をモニタして、最適なサイズの気泡を構成し、維持することができるようにしなければならないという点である。気泡が小さすぎると、光の適正なスイッチングが行えないし、気泡が大きすぎると、気泡が漏れ出すか、あるいは、ヒータが故障する可能性がある。このマトリックススイッチ構成によってこの較正を実施するには、Ｎ個の較正された光源と、Ｍ個の較正された受光器を備えることが必要になる。スイッチの寸法がＮ＝３２及びＭ＝３２に近づくと、使用中に較正及びモニタを実施するこの構成は、ひどくコストが高くつくことになる。
【０００７】
従って、光スイッチマトリックスの性能をテストし、較正し、モニタする方法を備えることが望ましい。
【０００８】
【発明が解決しようとする課題】
本発明の目的は、光スイッチの性能を正確かつ経済的にテストし、較正し、モニタするシステム及び方法を提供することにある。
【０００９】
【課題を解決するための手段】
アーキテクチャに関して、本発明は、複数の交差する光路と、複数の交差点スイッチ素子を含んでおり、複数の交差点スイッチ素子のそれぞれが、２つの光路の交差点に関連していて、各交差点スイッチ素子と２つの光路の各交差点によって、光スイッチポイントが構成されている、光スイッチとして概念化することが可能である。複数の交差点スイッチ素子のそれぞれは、２つの光路の交差点の第１の側に配置されると、第１のタイプの光スイッチポイントを構成することになり、複数の第１のタイプの光スイッチポイントによって、交差点スイッチ素子が反射状態にある場合、第１のタイプの光スイッチポイントのそれぞれに入射する光を反射可能にする、コアマトリックスが構成される。コアマトリックスには、複数の行及び複数の列が含まれている。また、コアマトリックスに追加されるテスト行及びテスト列を構成する複数の第２のタイプの光スイッチポイントも含まれており、複数の第２のタイプの光スイッチポイントは、それぞれ、２つの光路の交差点の第２の側に交差点スイッチ素子を配置することによって構成される。テスト入力及びテスト出力が、テスト列及びテスト行に光学的に結合されている。
【００１０】
本発明は、複数の交差する光路と、複数の光路のそれぞれの交差点に配置された交差点スイッチ素子を含んでおり、交差点スイッチ素子が、２つの光路の交差点の第１の側に配置されて、第１のタイプの光スイッチポイントを構成し、複数の第１のタイプの光スイッチポイントが、コアマトリックスをなすように構成されており、コアマトリックスが、複数の行と複数の列を備えている、光スイッチマトリックスの部材である光スイッチをテストするための方法として概念化することも可能である。この方法には、それぞれが、２つの光路の前記交差点の第２の側に交差点スイッチ素子を配置することによって構成される、マトリックスのテスト行とテスト列を構成する複数の第２のタイプの光スイッチポイントを、複数の第１のタイプの光スイッチポイントに追加するステップと、第１のタイプの光スイッチポイントの少なくとも１つ、テスト行における第２のタイプの光スイッチポイントの少なくとも１つ、及び、テスト列における第２のタイプの光スイッチポイントの少なくとも１つを反射性にして、テスト入力とテスト出力を利用することにより、複数の第１のタイプの光スイッチポイントのそれぞれをテストするステップが含まれている。
【００１１】
本発明には、多くの利点があり、そのいくつかについて、以下に単なる例として述べることにする。
【００１２】
本発明の利点の１つは、スイッチの使用中に、単一のテスト入力と単一のテスト出力を利用して、光スイッチの正確かつ経済的な較正及びモニタを行うことが可能になるという点である。
【００１３】
本発明のもう１つの利点は、スイッチの使用中に、単一のテスト入力と単一のテスト出力を利用して、マトリックスの各光スイッチング素子のテストを行うことが可能になるという点である。
【００１４】
本発明のもう１つの利点は、単一テスト入力と単一テスト出力の間の光路長が常に一定のままであるため、光路長の変動を補正する必要がなくなるという点である。
【００１５】
本発明のもう１つの利点は、テスト入力列とテスト出力行の交差点における基準スイッチ素子を「使用中」スイッチとして利用して、スイッチ内の材料の屈折率を常にモニタすることによって、システム内における圧力変化を表す可能性のある材料の温度、材料中に気泡が構成される速度、及び、気泡サイズの変化をモニタすることができるという点である。
【００１６】
本発明のもう１つの利点は、任意の出力に光を送り込むことが可能になり、これによって、複数スイッチ間における導通の確認が可能になるという点である。
【００１７】
本発明のもう１つの利点は、入力における光の検出が可能になり、これによって、入射光のパワー及び波長の確認が可能になるという点である。
【００１８】
本発明の他の特徴及び利点については、当該技術者には、下記の図面及び詳細な説明を検討することにより明らかになるであろう。これらの追加特徴及び利点は、本発明の範囲内に含まれるものとする。
【００１９】
【発明の実施の形態】
次に図面を参照すると、図1は光スイッチマトリックス１１を示す図である。光スイッチマトリックス１１には、複数の交差点スイッチ素子１２が含まれている。各交差点スイッチ素子１２は、この説明のため、導波路セグメントとすることが可能な、２つの光路の交差点に配置されている。ここでは導波路セグメントとして解説されるが、光路は、光信号を伝導することが可能な任意の光路とすることが可能である。交差点スイッチ素子１２と２つの導波路セグメントの交差点の組み合わせによって、光スイッチポイント１７が構成される。各導波路交差点には、関連する交差点スイッチ素子が設けられており、これによって、各交差点毎に光スイッチポイントが構成されている。例証となる第１のタイプの光スイッチポイントが、点線の円１７内に示されているが、図2及び3に関連して詳述することにする。交差点スイッチ素子１２は、引用することにより本明細書の一部をなすものとする、Ｆｏｕｑｕｅｔ他に与えられた米国特許第５，６９９，４６２号に従って製作されている。交差点スイッチ素子１２の動作については、図2及び3に関連して明らかにされるが、交差点スイッチ１２の構造の詳細は、上述の譲受人が同じである米国特許に十分に詳述されているので、省略することにする。
【００２０】
第１のタイプのスイッチポイント１７は、それぞれ、入力導波路１４、１６、１８、２２（入力Ａ、Ｂ、Ｃ、及び、Ｄとしても表示されている）と、出力導波路２４、２６、２８、及び、３２（出力１、２、３、及び、４としても表示されている）によって構成されるマトリックスをなすように配列される。入力導波路１４、１６、１８、及び、２２と出力導波路２４、２６、２８、及び、３２は、米国特許第５，６９９，４６２号に解説のように、光スイッチマトリックス１１の基部を構成する基板によって支持することが可能である。単一ラインとして例示されているが、入力導波路１４、１６、１８、及び、２２と出力導波路２４、２６、２８、及び、３２は、基板によって支持された、それを通って、光が伝わるチャネルである。合計で１６の光スイッチポイントが得られるように、４行と４列からなるマトリックスとして例示されているが、光スイッチマトリックス１１は、その交差点に等しい数の交差点スイッチ素子を備えた、任意の数の入力導波路及び出力導波路によって構成することが可能である。さらに、直角に交差するように例示されているが、入力導波路１４、１６、１８、及び、２２と出力導波路２４、２６、２８、及び、３２は、直角以外の角度で交差することも可能である。一般に、光スイッチマトリックス１１は、３２の入力導波路と３２の出力導波路を備えた３２×３２のマトリックスになるが、もっと大きくすることも可能である。例えば、４つの３２×３２のマトリックスを結合して、６４×６４のスイッチマトリックスを構成することも可能である。本明細書では、単純化のため、４×４の光スイッチマトリックスが例示されている。
【００２１】
さらに、連続した導波路セクション１４、１６、１８、２２と、２４、２６、２８、３２として例示されているが、各交差点スイッチ素子１２がトレンチを占めており、結果として、各入力導波路と各出力導波路は、複数の導波路セグメントから構成されることになる。
【００２２】
導波路セグメントの屈折率とほぼ同じ屈折率を備えた液体のような屈折率整合媒体が充填されると、交差点スイッチ１２は、導波路を進行する光が、反射されることなく、減衰をわずかな量にとどめて、スイッチをまっすぐに通過できるようにするので、交差点スイッチ１２は、透過性である。同様に、米国特許第５，６９９，４６２号に開示のように、交差点スイッチ素子１２にガスすなわち気泡が充填されている場合のように、屈折率整合媒体のない場合、光は、スイッチ素子を透過しないで、反射され、隣接導波路内に送り込まれる。
【００２３】
使用時、導波路セグメントは、入力及び出力において光ファイバに接続することができる。入力導波路１４、１６、１８、及び、２２と、出力導波路２４、２６、２８、及び、３２は、一般に、およそ．２５ミリメートルほどの間隔をあけ、光ファイバコネクタを用いて光ファイバリボンケーブルに接続することが可能である。
【００２４】
次に、図2を参照すると、光スイッチポイント１７の詳細図が示されている。交差点スイッチ素子１２が、入力導波路１４と出力導波路３２の交差点に配置され、ほぼ斜めに横切るように位置決めされている。上述のように、入力導波路１４には、セグメント１５も含まれており、出力導波路３２には、セグメント３３も含まれているが、これらのセグメントは、交差点スイッチ素子１２の配置によって構成される。図2には、入力導波路１４に入射する光が交差点スイッチ素子１２を通って、導波路セグメント１５に入り込む、透過状態の交差点スイッチ素子１２が示されている。この状態において、交差点スイッチ１２は、透過性とみなされる。交差点スイッチ素子１２には、一般に、入力導波路１４の屈折率と同様の、できれば等しい屈折率を備えた液体のような媒体が充填されており、これによって、導波路１４を通る光が、減衰量を最小限にとどめて、交差点スイッチ素子１２を通過できるようになっている。
【００２５】
交差点スイッチ素子１２と導波路セグメント１４及び３２の交差点を組み合わせると、第１のタイプの光スイッチポイント１７が得られる。複数の第１のタイプの光スイッチポイントによって、光スイッチマトリックス１１が構成される。
【００２６】
図3は、反射状態にある交差点スイッチ素子１２を表した、第１のタイプの光スイッチポイント１７を示す図である。見て分かるように、交差点スイッチ素子１２には、気泡１９が含まれているが、これは、スイッチ空洞に屈折率整合材料がない、スイッチ素子１２の状態を表している。気泡１９は、ガスが発生するまでスイッチ素子１２内の液体を加熱することによって生じさせることが可能である。この反射状態にある間、導波路１４を進む光は、スイッチ素子１２を通って、導波路セグメント１５に送り込まれることにはならず、代わりに、反射されて、出力導波路セグメント３２に送り込まれる。この状態において、交差点スイッチ素子１２は、導波路セグメント１４からの光を出力導波路３２にスイッチするので、反射性であると判断される。
【００２７】
図1に戻ると、光スイッチポイント１７は、それぞれの位置が、それぞれ、入力導波路１４、１６、１８、２２と出力導波路２４、２６、２８、３２の交差点の一方の側にあるので、第１のタイプであると判断される。図2及び3の詳細１７から明らかなように、入力導波路１４、１６、１８、及び、２２を進む光は、交差点スイッチ素子１２を透過する場合もあるし、あるいは、反射されて、出力導波路２４、２６、２８、及び、３２に送り込まれる場合もある。交差点スイッチ素子が反射状態にある場合、それぞれの入力導波路及び出力導波路を用いて、他の光信号を伝送することはできない。例えば、位置Ｂ３（入力導波路１６と出力導波路２８の交差点）における光スイッチポイントが、反射状態にある場合、入力導波路１６を進行する光は、位置Ｂ３においてスイッチ素子１２によって反射され、出力導波路２８を通って出射することを表している。基本的に、光スイッチマトリックス１１は、任意の時間に、４つの入力Ａ、Ｂ、Ｃ、Ｄの任意の１つを４つの出力１、２、３、４の任意の１つにスイッチすることが可能である。
【００２８】
図4は、改良された本発明の光スイッチングマトリックス７０を大まかに表した概略図である。
【００２９】
光スイッチマトリックス１１は、コアマトリックス１１を構成する複数のスイッチ可能な光リフレクタ１２から構成することが可能である。スイッチ可能な光リフレクタ１２は、反射状態にある場合は、交差する導波路の光をスイッチすることが可能であり、透過状態にある場合は、光を透過させることが可能な、上述の交差点スイッチ素子１２のような任意のスイッチ可能リフレクタとすることが可能である。光スイッチコアマトリックス１１にテスト列５０及びテスト行６０を追加すると、改良式光スイッチマトリックス７０が構成される。テスト列５０及びテスト行６０は、テスト列導波路５２と入力導波路１４、１６、１８、及び、２２の交差点、及び、テスト行導波路６０と出力導波路２４、２６、２８、及び、３２の交差点に、光リフレクタ１２を含んでいる。テスト列５０とテスト行６０の交差点には、光リフレクタ５１も配置されている。光リフレクタ５１は、非スイッチング光リフレクタとすることもできるし、実際のところ、スイッチ可能光リフレクタ１２と同様のスイッチ可能光リフレクタとすることも可能である。光スイッチコアマトリックス１１内に配置されたスイッチ可能光リフレクタ１２は、交差する導波路セグメントの第１の側に配置され、テスト列５０及びテスト行６０内に配置されたスイッチ可能光リフレクタ１２は、交差する導波路セグメントの反対側に配置されている点に留意されたい。光スイッチコアマトリックス１１内に配置されたスイッチ可能光リフレクタは、「第１のタイプ」とみなされ、テスト列５０及びテスト行６０内に配置されたスイッチ可能光リフレクタは、「第２のタイプ」とみなされる。上述のように、光リフレクタ５１は、スイッチ可能光リフレクタ１２、すなわち、反射状態と透過状態の間でスイッチ可能な光リフレクタと同様のものにすることが可能である。この例の場合、光リフレクタ５１は、光スイッチコアマトリックス１１におけるスイッチ可能光リフレクタをモニタする基準スイッチとして用いることが可能な、使用中スイッチ素子として利用可能である。スイッチ可能光リフレクタ１２は、反射状態においてある導波路から別の導波路に光をスイッチし、透過状態において光を通過させることが可能な、任意のスイッチ可能光リフレクタとすることも可能である。
【００３０】
図5は、Ｆｏｕｑｕｅｔ他に与えられた米国特許第５，６９９，４６２号に解説の光スイッチング素子を用いた、図4の改良式光スイッチマトリックス７０の実際の実施態様を示す図である。スイッチコアマトリックス１１に、テスト列５０、テスト行６０、及び、光リフレクタ５８が追加されている。テスト列５０及びテスト行６０には、第２のタイプの光スイッチポイント５５が含まれているが、その働きについては、図7に関連して述べることにする。テスト列５０と入力導波路１４、１６、１８、及び、２２の交差点には、第２のタイプの光スイッチポイント５５が配置されている。同様に、テスト行６０と出力導波路２４、２６、２８、及び、３２の交差点には、第２のタイプの光スイッチポイント５５が配置されている。テスト列５０の第２のタイプの光スイッチポイント５５は、テスト列導波路５２においてアライメントがとられており、テスト行６０の第２のタイプの光スイッチポイント５５は、テスト行導波路５４においてアライメントがとられている。第２のタイプの光スイッチポイント５５には、上述のように交差点スイッチ素子１２が含まれているが、この適用例では、交差点スイッチ素子１２は、入力導波路１４、１６、１８、及び、２２と出力導波路２４、２６、２８、及び、３２に関する交差点スイッチ素子１２に対して、テスト列導波路５２とテスト行導波路５４の交差点の反対側に位置している。この構成によって、「第２のタイプ」の光スイッチ５５が構成される。留意すべきは、各第２のタイプの光スイッチポイント５５によって、光が、光スイッチコアマトリックス１１における光スイッチポイント１７の場合とは逆の方向にスイッチされるという点である。
【００３１】
テスト列５０とテスト行６０の交差点には、光リフレクタ５１が設けられている。光リフレクタ５１は、第２のタイプの光スイッチポイント５８に配置されており、第２のタイプの光スイッチポイント５５と同様のスイッチ可能光リフレクタとすることもできるし、あるいは、非スイッチング光リフレクタとすることも可能である。第２のタイプの光スイッチポイント５８は、スイッチコアマトリックス１１の動作中、第２のタイプの光スイッチポイント５８を用いて、それに含まれている交差点スイッチ素子の性能をモニタすることができるという点に関連して、基準スイッチと称することが可能である。こうして、スイッチマトリックス内の全交差点スイッチ素子の一般的な状態を判定するためには、第２のタイプの光スイッチポイント５８に配置された基準スイッチ内に配置されている交差点スイッチ素子内の気泡の状態をモニタすればよいことになる。
【００３２】
テスト列導波路５２に対する入力には、テスト入力光源５６が含まれており、テスト行導波路５４の出力には、テスト出力受光器５７が配置されている。代替案として、出力受光器５７は、テスト入力光源５６と共に、テスト列導波路５２に配置することも可能である。この構成の場合、テスト出力受光器５７の代わりにリフレクタを用いることによって、信号を反射し、テスト列導波路５２の入力（ここに、テスト出力受光器５７が配置されることになるであろう）に送り返すことが可能になる。こうして、コアマトリックスへのアクセス及びそのテストが、装置の単一ポートによって可能になる。この構成については、図6に関連して解説することにする。
【００３３】
図5に示す構成から明らかなように、テスト列５０に配置された第２のタイプの光スイッチポイント５５は、テスト列導波路５２のテスト入力５６からの光を反射して、入力導波路１４、１６、１８、及び、２２に送り込むか、または、テスト行導波路５４に送り込むように構成されている。同様に、テスト行６０に配置された第２のタイプの光スイッチポイント５５は、出力導波路２４、２６、２８、及び、３２からの光をテスト出力受光器５７に向けて反射するように構成されている。さらに、テスト列導波路５２とテスト行導波路５４の交差点に配置された第２のタイプの光スイッチポイント５８は、テスト列導波路５２を進行する光を反射して、テスト行導波路５４に送り込むように構成されている。
【００３４】
製造時におけるプロセス変動及び動作時における圧力変化のため、各交差点スイッチ素子１２毎にヒータ電圧及び電流を較正し、最適なサイズの気泡が構成されるようにすることが望ましい。気泡が小さすぎると、光が完全にはスイッチされず、大きすぎると、気泡はトレンチから漏出するか、ヒータが破壊される可能性がある。テスト列５０及びテスト行６０を追加し、これによって、単一テスト入力光源５６及び単一テスト出力受光器５７を可能にすることによって、単一テスト入力及び単一テスト出力を用いて、マトリックス１１に配置された各第１のタイプの光スイッチポイント１７をテストし、較正することが可能になる。本質的に、第２のタイプの光スイッチポイント５５及び第２のタイプの光スイッチポイント５８を備えたテスト列５０及びテスト行６０を追加することによって、１対Ｎデマルチプレクサ及びＭ対１マルチプレクサがスイッチに追加された。これによって、単一テスト入力及び単一テスト出力を用いて、コアマトリックス１１における各第１のタイプの光スイッチポイント１７のテスト及び較正が可能になる。
【００３５】
光スイッチコアマトリックス１１、テスト列５０、テスト行６０、それに含まれる第１のタイプの光スイッチポイント１７の全て、第２のタイプの光スイッチポイント５５及び第２のタイプの光スイッチポイント５８の全てが、いっしょになって、各第１のタイプの光スイッチポイントをテストし、較正することが可能な改良式光スイッチマトリックス７０を構成している。
【００３６】
さらに、改良式光スイッチマトリックス７０を利用して、光スイッチコアマトリックス１１内の第１のタイプの光スイッチポイントの１つと、テスト行６０内の第２のタイプの光スイッチポイントの１つを反射性にして、入力（Ａ、Ｂ、Ｃ、及び、Ｄ）の任意の１つを通ってスイッチマトリックスに入射する光をテスト出力受光器５７にスイッチすることが可能である。こうして、改良式光スイッチを用いて、光の存在をテストし、任意の入力における光信号の質をモニタすることが可能になる。
【００３７】
同様に、複数スイッチマトリックスが、地理的に分散した地域にわたって相互接続されたカスケード式スイッチ構成の場合、改良式光スイッチマトリックス７０を用いて、複数スイッチ間の導通をテストすることが可能である。テスト入力光源５６を用いて、テスト列導波路５２に光を送り込み、テスト列５０における第２のタイプの光スイッチポイントの１つを反射性にし、光スイッチコアマトリックス１１における第１のタイプの光スイッチポイントの１つを反射性にすることによって、出力の１つから下流のスイッチマトリックスにおいて検出されるテスト信号を送り出すことが可能になる。
【００３８】
さらに、第２のタイプの光スイッチポイント５８に配置された基準スイッチを使用中スイッチとして利用し、コアマトリックス１１内における他の交差点スイッチ素子１２の挙動を常にモニタし、予測することが可能である。こうして、第２のタイプの光スイッチポイント５８に関する温度、気泡構成速度、及び、気泡サイズの変化をモニタすることにより、システムにおける圧力変化を表示し、それによって、操作可能なスイッチマトリックスを絶えずモニタして、最適な性能が発揮されるようにすることが可能になる。
【００３９】
留意しておくべきは、以上の説明は、導波路セグメントの交差点に構成されたトレンチ内に気泡が構成される交差点スイッチ素子１２の利用について述べたものであるが、本発明の概念は、２つの光導波路の交差点に配置された任意のタイプのスイッチ可能リフレクタを用いて構成されたスイッチマトリックスに等しく適用可能であるという点である。
【００４０】
図6は、図5の改良式光スイッチングマトリックスの代替実施態様に関する概略図である。テスト入力光源５６及びテスト出力受光器５７は、テスト列５０に対する入力においてテスト列導波路５２の同じ場所に配置することが可能である。スイッチ可能光リフレクタまたは永久光リフレクタとすることが可能な光リフレクタ５３が、テスト行導波路５４に沿って送られる光が反射されて、テスト行導波路に送り返されるように、テスト行６０におけるテスト行導波路５４のある位置に配置された。こうして、いっしょに配置された単一テスト入力及び単一テスト出力を利用して、本明細書に記載のテスト、モニタ、及び、診断作業を実施することが可能になる。言及しておくべきは、独立したテスト入力光源５６及び単一テスト出力受光器５７として例示されているが、これらの機能を組み合わせて、低コヒーレンス反射率計のような単一計器にすることも可能であるという点である。テスト入力光源５６、テスト出力受光器５７、及び、光リフレクタ５３のこの代替実施態様は、本明細書に記載の本発明のあらゆる態様に適用可能である。
【００４１】
次に、図7を参照すると、第２のタイプの光スイッチポイント５５を例示した詳細図が示されている。交差点スイッチ素子１２は、テスト列導波路５２とテスト行導波路５４の交差点に位置している。しかし、交差点スイッチ素子１２は、第１のタイプの光スイッチポイント１７の交差点スイッチ素子１２に対して、２つの導波路の交差点の反対側に配置されているので、光スイッチポイント５５は、「第２のタイプ」とみなされる。
【００４２】
図8は、図5の光リフレクタ５１を例示した概略図である。第２のタイプの光スイッチポイント５８は、テスト列導波路５２とテスト行導波路５４の交差点に配置されている。第２のタイプの光スイッチポイント５８には、テスト列導波路５２を進行する光を必ず反射して、テスト行導波路５４に送り込む非スイッチングリフレクタとして例示された、光リフレクタ５１を設けることが可能である。代替案として、第２のタイプの光スイッチポイント５８には、交差点スイッチ素子１２、または、他のタイプのスイッチ可能リフレクタを含むことが可能であり、この場合、第２のタイプの光スイッチポイント５８は、第２のタイプの光スイッチポイント５５と同じになる。
【００４３】
代替案として、光リフレクタ５１は、透過状態と反射状態の間でスイッチすることが不可能であり、常に反射状態を維持する、当該技術において「ドライトレンチ」として知られるものとすることが可能である。複数の改良式光スイッチマトリックス７０を結合して、より大きい光スイッチマトリックスを構成する場合、または、複数スイッチマトリックスをカスケード化する場合、第２のタイプの光スイッチポイント５８は、スイッチ可能リフレクタとすべきである。同様に、第２のタイプの光スイッチポイント５８に基準スイッチを備えることが望ましい場合、第２の光スイッチポイント５８に配置されるリフレクタは、スイッチ可能リフレクタが望ましい。
【００４４】
図9は、通常の動作モードにある図5の改良式光スイッチマトリックス７０を例示した概略図である。太線で示すように、入力Ｂから入力導波路１６を進行する入力光源は、それぞれ、入力導波路１６と出力列導波路５２の交差点、入力導波路１６と出力導波路２４の交差点、及び、入力導波路１６と出力導波路２６の交差点に配置された第２のタイプの光スイッチポイント７１及び第１のタイプの光スイッチポイント７２及び７４を通って進行する。入力導波路１６の光は、入力導波路１６と出力導波路（２８）の交差点（位置Ｂ３）に配置された第１のタイプの光スイッチポイント７６によって反射され、入力導波路１６から出力導波路２８に送り込まれることになる。光は、次に、それぞれ、入力導波路１８と出力導波路２８の交差点、入力導波路２２と出力導波路２８の交差点、及び、テスト行導波路５２と出力導波路２８の交差点に配置された第１のタイプの光スイッチポイント７７及び７８と、第２のタイプの光スイッチ７９を通過する。反射状態にある交差点スイッチ素子１２は、太線で描かれている。
【００４５】
上述のやり方と同様に、入力導波路１８を進む光は、第２のタイプの光スイッチポイント８１、及び、第１のタイプの光スイッチポイント８２、８４、及び、７７を透過し、入力導波路１８と出力導波路３２の交差点（位置Ｃ４）に配置された第１のタイプの光スイッチポイント８６によって反射され、出力導波路３２に送り込まれる。次に、光は、第１のタイプの光スイッチポイント８７及び第２のタイプの光スイッチポイント８８を透過して、出力４に送られる。同様に、入力導波路２２を進む光は、第２のタイプの光スイッチポイント８９を透過し、入力導波路２２と出力導波路２４の交差点（位置Ｄ）に配置された第１のタイプの光スイッチポイント９１によって出力導波路２４に送り込まれ、第２のタイプの光スイッチポイント９２を透過して、出力１に送られる。
【００４６】
図10は、テスト出力受光器が、改良式マトリックスの任意の１つの入力において受信した光信号を検出し、テストすることができるようにするテストモードにある、図5の改良式光スイッチマトリックス７０を例示した概略図である。図9に関連した解説のやり方と同様、入力導波路１６を進む光は、第２のタイプの光スイッチ７１と、第１のタイプの光スイッチポイント７２及び７４を通過し、第１のタイプの光スイッチポイント７６によって反射されて、出力導波路２８に送り込まれる。光は、次に、出力導波路２８を進行して、第１のタイプの光スイッチポイント７７及び７８を通過するが、出力導波路２８とテスト行導波路６０の交差点に配置された第２のタイプの光スイッチポイント７９は、反射状態にあるので、反射されて、テスト行導波路６０に送り込まれる。第２のタイプの光スイッチポイント７９が、第１のタイプの光スイッチ７６と同じ出力導波路２８に配置されている。第１のタイプの光スイッチポイント７６と、第１のタイプの光スイッチポイント７６と同じ出力導波路２８に配置された第２のタイプの光スイッチポイント７９を選択的に反射性にすることによって、入力導波路１６からテスト導波路５４に光を送り込むことが可能になるのは明らかである。次に、光は、第２のタイプの光スイッチポイント８８を通過し、テスト出力受光器５７によって受光される。こうして、改良式光スイッチマトリックス７０によって、マトリックスの任意の入力における光信号を検出し、テストすることが可能になる。この構成によれば、単純化されたスイッチセットアップ、診断、及び、入射光のパワー及び波長のテスト能力が可能になる。
【００４７】
図11は、テスト入力光源が、任意の出力の１つにおける光の存在についてテストし、スイッチマトリックスの下流のある位置における光についてテストするため、マトリックス内にテスト信号を送り込むテストモードにある、図5の改良式光スイッチマトリックス７０を示す概略図である。太線から明らかなように、テスト入力光源５６によって発生するテスト入力信号は、テスト列導波路５２を進行し、第２のタイプの光スイッチポイント７１によって反射されて、入力導波路１６に送り込まれる。光は、さらに、第１のタイプの光スイッチポイント７６によって反射されて、出力導波路２８に送り込まれるまで、入力導波路１６を進行する。次に、光は、第１のタイプのスイッチポイント７７及び７８を透過し、第２のタイプの光スイッチポイント７９を透過して、出力３に入射する。第２のタイプの光スイッチ７１が、第１のタイプの光スイッチポイント７６と同じ入力導波路１６に配置されている点に留意されたい。こうして、光は、出力３に送り込まれ、２つのスイッチマトリックスを接続する光ファイバリンクをテストするため、下流に配置されたスイッチマトリックスに送ることが可能になる。
【００４８】
図12は、マトリックス内における光スイッチポイントのテストを可能にするテストモードにある、図5の改良式光スイッチマトリックス７０を示す概略図である。見て分かるように、テスト入力光源５６で発生した光は、テスト列導波路５２を進行し、第２のタイプの光スイッチポイント７１によって反射されて、入力導波路１６に送り込まれる。第１の光スイッチポイント７６と同じ行（入力導波路１６）内にあるテスト列５０における第２のタイプの光スイッチポイントが反射性にされている点に留意されたい。次に、光は、入力導波路１６に沿って進行し、第１のタイプの光スイッチポイント７６によって反射されて、出力導波路２８に送り込まれる。光は、さらに、透過性の第１のタイプの光スイッチポイント７７及び７８を透過し、次に、第２のタイプの光スイッチポイント７９によって反射されて、テスト行導波路５４に送り込まれ、テスト出力受光器５７によって測定される。また、第２のタイプの光スイッチポイント７９が、第１のタイプの光スイッチポイント７６と同じ出力導波路２８に配置されている点にも留意されたい。こうして、第１のタイプの光スイッチポイント７６をテストすることが可能になる。さらに、光スイッチポイント７６に配置された交差点スイッチ素子１２を較正することが可能になる。第１の光スイッチポイント７６に配置された交差点スイッチ素子１２の較正は、第１のタイプの光スイッチポイント７６における交差点スイッチ素子１２に対応するヒータに供給される電圧及び電流をモニタし、テスト出力受光器５７における光をモニタすることによって実施される。こうして、交差点スイッチ素子を完全にスイッチするのに必要な最小ヒータ電力及びスイッチングを完了するための時間を求めることが可能になる。こうして、スイッチの非使用時に、スイッチマトリックス７０全体をテストすることも、あるいは、スイッチの使用中に、任意の利用されていないスイッチ経路をテストすることも可能になる。
【００４９】
さらに、全スイッチをテストするための経路長は同じであり、このため、交差点スイッチ素子位置に基づいて減衰を補正する必要がなくなる。
【００５０】
やはり図12を参照すると、テスト列導波路５２とテスト行導波路６０の交差点に配置された第２のタイプの光スイッチポイント５８を使用中基準スイッチとして利用し、流体の屈折率、従って、その温度、気泡構成速度、気泡サイズの変化を常にモニタすることによって、システムにおける圧力変化を表示することが可能になる。こうして、操作可能スイッチマトリックス１１を絶えずモニタして、最適な性能が得られるようにすることが可能である。
【００５１】
図13は、図5の光スイッチマトリックス７０のもう１つの実施態様を示す概略図である。光スイッチポイント１７の追加列１００及び追加行１１０が、第１のタイプの光スイッチポイントの外側列及び外側行に隣接するように追加された。追加列１００及び追加行１１０には、第１のタイプの光スイッチポイント１７と第２のタイプの光スイッチポイント５５が含まれている。すなわち、第２のタイプの光スイッチ５５が、追加列導波路１０１とテスト行導波路５４の交差点に配置され、また、追加行導波路１１１とテスト列導波路５２の交差点にも配置されている。
【００５２】
第１のタイプの光スイッチポイント１７と第２のタイプの光スイッチポイント５５の追加列１００及び追加行１１０は、それぞれ、光スイッチコアマトリックス１１において、第１のタイプの光スイッチポイントの列に隣接し、第１のタイプの光スイッチポイントの行に隣接するように追加された。追加列１００は、テスト列５０のほぼ鏡像であり、追加行１１０は、テスト行６０のほぼ鏡像である点に留意されたい。
【００５３】
追加列１００及び追加行１１０を配置することによって、入力導波路１４、１６、１８、及び、２２の信号の任意の１つを偏向させて、テスト出力受光器５７（または、そのように設けることが可能であれば、リフレクタ５３）に送ることが可能になる。こうして、これらの信号がコアマトリックスの通過中にスイッチされるか否かに関係なく、コアマトリックス１１内の全ての交差点スイッチ素子１２を含む、第１のタイプの全ての光スイッチポイント１７と、任意の入力信号がマトリックスによって辿ることになる完全な光路のテストが可能になる。実施態様によっては、追加列１００と追加行１１０のいずれかを省略するのが望ましい場合もある。
【００５４】
光スイッチコアマトリックス１１には、光スイッチポイント９０も追加される。光スイッチポイント９０は、上述の第１のタイプの光スイッチポイント１７に取って代わる。光スイッチポイント９０には、交差点スイッチ素子１２の背面に向かい合うリフレクタ９５が追加された、上述の第１のタイプの光スイッチポイント１７が含まれている。この光スイッチポイント９０については、図14に関連してさらに詳述するが、本出願と同時に提出され、出願番号第ＸＸＸ号が割り当てられた（弁理士のドッケト番号は第１０９８１６２１−１号）、引用することにより本明細書の一部をなすものとする、譲受人が同じである、「ＯＰＴＩＣＡＬＬＹ  ＣＯＮＴＲＯＬＬＥＤ  ＥＸＣＨＡＮＧＥ  ＳＷＩＴＣＨＥＳ  ＷＩＴＨＩＮ  ＡＮ  ＯＰＴＩＣＡＬ  ＳＩＧＮＡＬ  ＮＥＴＷＯＲＫ」と題する同時係属の米国特許出願の開示に従って構成されている。交差点スイッチ素子１２が反射状態にある場合、リフレクタ９５（図14に関してさらに詳述される）によって、交差点スイッチ素子１２の両面で光を反射することが可能になる。追加リフレクタ９５の配置によって可能になる二重はね返り（図14参照）を利用すれば、図13に示すスイッチマトリックスによって、コアマトリックス１１における使用中の交差点スイッチ素子１２のモニタが可能になる。さらに、第１のタイプの光スイッチポイント１７及び第２のタイプの光スイッチポイント５５が、追加列１００及び追加行１１０に例示されているが、留意すべきは、追加行及び追加列における第１のタイプの光スイッチポイント１７及び第２のタイプの光スイッチポイント５５の代わりに、光スイッチポイント９０を用いることが可能であるという点である。コアマトリックス１１に光スイッチポイント９０を配置することによって、使用中に、コアマトリックス１１内の任意の交差点スイッチ素子１２をテストすることが可能になる。さらに、使用中に、交差点スイッチ素子１２をモニタすることによって、それに含まれる気泡の状態を判定することが可能になる。こうして、データのスイッチ中に、交差点スイッチ素子１２をモニタすることが可能になり、また、交差点スイッチ素子１２が故障しているか否か、または、交差点スイッチ素子１２内に含まれる気泡が、光を十分にスイッチすることができなくなっているか否かを判定するため、交差点スイッチ素子１２のモニタを行うことが可能になる。これは、交差点スイッチ素子１２の背面のモニタが、それに含まれている気泡の状態についてより多くを示す可能性があるためにそうなるが、これによって、交差点スイッチ素子１２の差し迫った故障を前もって警告することが可能になる。すなわち、交差点スイッチ素子１２は、データをスイッチするのに十分な働きをしているかもしれないが、故障が差し迫っている可能性がある。こうして、交差点スイッチ素子１２の背面をモニタし、可能性のある故障を前もって警告することにより、実際に故障する前に、データを他の交差点スイッチ素子１２に再経路指定することが可能になる。
【００５５】
図14は、図5の第１のタイプの光スイッチポイント１７の代替実施態様９０を例示した概略図である。第１のタイプの光スイッチポイント１７には、リフレクタ９５が追加される。リフレクタ９５は、その反射表面が、交差点スイッチ素子１２の反射状態時に、入力導波路１４を進行する光が反射されて、出力導波路２８に送り込まれることになる交差点スイッチ素子１２の表面の、裏側表面に向かい合うように配置される。見て分かるように、交差点スイッチ素子１２の反射状態時に、出力導波路セグメント２９に沿って進む光は、交差点スイッチ素子１２の「背面」から反射されて、リフレクタ９５に向かい、リフレクタ９５から反射されて、交差点スイッチ素子１２の「背面」に戻され、さらに、入力導波路セグメント１５に送り込まれることにより、反射による入力導波路セグメント１５への送り込みが可能になる。こうして、光スイッチポイント９０に配置された各交差点スイッチ素子１２を利用して、２つの光路、すなわち、光スイッチポイント１７の表側の光路と光スイッチポイント１７の裏側の光路の光を反射することが可能になる。
【００５６】
当該技術者には明らかなように、本発明の原理をほぼ逸脱することなく、上述の本発明の望ましい実施態様に対して、多くの修正及び変更を加えることが可能である。例えば、２つの光路の交差点に任意のタイプのスイッチ可能リフレクタを用いて、本発明を実施することが可能である。こうした修正及び変更は、全て、付属の請求項に規定された本発明の範囲内に含まれるものとする。
【図面の簡単な説明】
【図１】光スイッチマトリックスを例示した概略図である。
【図２】透過状態にある図1の第１のタイプの光スイッチポイントを例示した概略図である。
【図３】反射状態にある図1の第１のタイプの光スイッチポイントを例示した概略図である。
【図４】本発明の改良式光スイッチングマトリックスを大まかに例示した概略図である。
【図５】図4の改良式光スイッチングマトリックスの実際の実施態様を例示した図である。
【図６】図5の改良式光スイッチングマトリックスの代替実施態様の概略図である。
【図７】図5の第２のタイプの光スイッチポイントを例示した概略図である。
【図８】図5の光リフレクタを例示した概略図である。
【図９】通常の動作モードにある図5の光スイッチマトリックスを例示した概略図である。
【図１０】入力における光のテストを可能にするテストモードにある図5の光スイッチマトリックスを例示した概略図である。
【図１１】出力への光の送り込みを可能にするテストモードにある図5の光スイッチマトリックスを例示した概略図である。
【図１２】光スイッチポイントのテストを可能にするテストモードにある図5の光スイッチマトリックスを例示した概略図である。
【図１３】図5の光スイッチマトリックス７０のもう１つの実施態様を例示した概略図である。
【図１４】図2の第１のタイプの光スイッチポイントの代替実施態様を例示した概略図である。
【符号の説明】
１１  コアマトリックス
１２  交差点スイッチ素子
１４  入力導波路
１６  入力導波路
１７  光スイッチポイント
１８  入力導波路
２２  入力導波路
２４  出力導波路
２６  出力導波路
２８  出力導波路
３２  出力導波路
５０  テスト列
５５  光スイッチポイント
５６  テスト入力光源
５７  テスト出力受光器
６０  テスト行
７０  光スイッチ
９５  リフレクタ
１００  追加列
１１０  追加行
【図１】
0004448597.tif 000002
【図２】
0004448597.tif 000003
【図３】
0004448597.tif 000004
【図４】
0004448597.tif 000005
【図５】
0004448597.tif 000006
【図６】
0004448597.tif 000007
【図７】
0004448597.tif 000008
【図８】
0004448597.tif 000009
【図９】
0004448597.tif 000010
【図１０】
0004448597.tif 000011
【図１１】
0004448597.tif 000012
【図１２】
0004448597.tif 000013
【図１３】
0004448597.tif 000014
【図１４】
0004448597.tif 000015